(57)【要約】【課題】レーザ光を照射して記録媒体上の液滴の水分を蒸発させる照射部よりも記録媒体の搬送方向下流側に配置された供給部から空気を供給する際に生じる記録媒体の揺れを抑制する。【解決手段】乾燥装置４は、所定の搬送方向Ａに搬送される記録媒体９にレーザ光を照射して記録媒体に付着する液滴の水分を蒸発させる照射部５０と、照射部よりも搬送方向下流側の位置から照射部と記録媒体の間に空気を吹出口６２から吹き出して供給する供給部６０と、照射部よりも搬送方向の上流側の位置で記録媒体に沿って搬送方向上流側へ流れる空気の少なくとも一部を吸収する吸収部７０と、記録媒体を挟んで照射部とは反対側の位置で、かつ照射部から照射されるレーザ光の照射範囲Ｓから供給部の吹出口６２までの領域Ｒの少なくとも一部領域に相当する位置において、記録媒体を吸引により接触させて通過させるよう案内する接触案内部８１を有する吸引案内手段８０を備える。【選択図】図２
2019158243.tif 000002
【特許請求の範囲】
【請求項１】
所定の搬送方向に搬送される記録媒体にレーザ光を照射して当該記録媒体に付着する液滴の水分を蒸発させる照射部と、
前記照射部よりも前記搬送方向の下流側の位置から前記照射部と前記記録媒体の間に空気を吹出口から吹き出して供給する供給部と、
前記照射部よりも前記搬送方向の上流側の位置で前記記録媒体に沿って前記搬送方向の上流側へ流れる空気の少なくとも一部を吸収する吸収部と、
前記記録媒体を挟んで前記照射部とは反対側の位置で、かつ前記照射部から照射されるレーザ光の照射範囲から前記供給部の吹出口までの領域の少なくとも一部領域に相当する位置において、前記記録媒体を吸引により接触させて通過させるよう案内する接触案内部を有する吸引案内手段と、
を備える乾燥装置。
【請求項２】
前記吸引案内手段は、前記接触案内部が、前記照射部のレーザ光の照射範囲に相当する位置に配置されているとともに吸引孔を有する部材で構成されている請求項１に記載の乾燥装置。
【請求項３】
前記接触案内部を構成する部材が、前記記録媒体を通過するレーザ光を吸収する物性を有している請求項２に記載の乾燥装置。
【請求項４】
前記接触案内部は、前記吸引孔の一部が、前記記録媒体の搬送方向と交差する幅方向の両端部よりも外側の位置にも存在するよう設けられている請求項２又は３に記載の乾燥装置。
【請求項５】
前記吸引案内手段は、前記接触案内部が、前記照射部のレーザ光の照射範囲と前記供給部の吹出口との間の位置に配置されているとともに吸引孔を有する部材で構成されている請求項１に記載の乾燥装置。
【請求項６】
前記吸引案内手段は、前記接触案内部を構成する部材の前記記録媒体が接触する側とは反対側の部位に吸気手段を配置している請求項５に記載の乾燥装置。
【請求項７】
前記接触案内部は、前記吸引孔および吸気手段の一部が、前記記録媒体の搬送方向と交差する幅方向の両端部よりも外側の位置にも存在するよう設けられている請求項６に記載の乾燥装置。
【請求項８】
所定の搬送方向に搬送される記録媒体に液滴を吐出する液滴吐出部と、
前記液滴吐出部よりも前記搬送方向の下流側の位置に配置され、前記記録媒体に前記液滴吐出部から吐出されて付着する液滴の水分を蒸発させて乾燥させる乾燥部と、
を備え、
前記乾燥部は、請求項１乃至７のいずれか１項に記載の乾燥装置にて構成されている液滴吐出装置。
【発明の詳細な説明】
【技術分野】
【０００１】
この発明は、乾燥装置および液滴吐出装置に関するものである。
【背景技術】
【０００２】
従来、記録媒体にレーザ光を照射して記録媒体に付着する液滴の水分を蒸発させる乾燥装置やそれを用いた液滴吐出装置としては、例えば、以下に示す特許文献１、２に記載されているものが知られている。
【０００３】
特許文献１には、液滴を含んだ被搬送体が搬送される搬送方向に沿って間隔をおいて配置され、その被搬送体に光を照射して液滴を蒸発させる複数の発光部と、その複数の発光部全体に対する前記搬送方向の上流側および下流側の空間と各発光部間の空間に対して、前記光の照射方向に沿って空気を被搬送体へ向けて供給する供給部と、被搬送体側から照射方向と逆方向へ空気が排出される排出部とが前記搬送方向に沿って交互に配置された通気機構と、を備える乾燥装置が記載されている。
【０００４】
特許文献２には、記録媒体に液滴を吐出する吐出ヘッドと、その吐出ヘッドよりも記録媒体の搬送方向下流側に配置され、記録媒体に赤外線レーザ光を照射して記録媒体に着弾した液滴の水分を蒸発させる照射部と、その照射部よりも記録媒体の搬送方向上流側でかつその搬送方向に沿って配置された整流部を有し、その整流部より記録媒体の上方に記録媒体の搬送方向下流側へ流れる空気を供給する供給部と、前記照射部よりも記録媒体の搬送方向下流側に配置され、記録媒体の上方をその搬送方向下流側に流れてきた空気の少なくとも一部を排気する排気部と、を備えた液滴吐出装置が記載されている。
【先行技術文献】
【特許文献】
【０００５】
【特許文献１】特開２０１７−１３３７７４号公報
【特許文献２】特開２０１８−１５０９号公報
【発明の概要】
【発明が解決しようとする課題】
【０００６】
この発明は、記録媒体にレーザ光を照射して記録媒体に付着する液滴の水分を蒸発させる照射部よりも記録媒体の搬送方向下流側の位置に配置された供給部から空気を供給する際に生じる記録媒体の揺れを抑制することができる乾燥装置とそれを用いた液滴吐出装置を提供するものである。
【課題を解決するための手段】
【０００７】
この発明（Ａ１）の乾燥装置は、
所定の搬送方向に搬送される記録媒体にレーザ光を照射して当該記録媒体に付着する液滴の水分を蒸発させる照射部と、
前記照射部よりも前記搬送方向の下流側の位置から前記照射部と前記記録媒体の間に空気を吹出口から吹き出して供給する供給部と、
前記照射部よりも前記搬送方向の上流側の位置で前記記録媒体に沿って前記搬送方向の上流側へ流れる空気の少なくとも一部を吸収する吸収部と、
前記記録媒体を挟んで前記照射部とは反対側の位置で、かつ前記照射部から照射されるレーザ光の照射範囲から前記供給部の吹出口までの領域の少なくとも一部領域に相当する位置において、前記記録媒体を吸引により接触させて通過させるよう案内する接触案内部を有する吸引案内手段と、
を備えるものである。
【０００８】
この発明（Ａ２）の乾燥装置は、上記発明Ａ１の乾燥装置において、前記吸引案内手段は、前記接触案内部が、前記照射部のレーザ光の照射範囲に相当する位置に配置されているとともに吸引孔を有する部材で構成されているものである。
この発明（Ａ３）の乾燥装置は、上記発明Ａ２の乾燥装置において、前記接触案内部を構成する部材が、前記記録媒体を通過するレーザ光を吸収する物性を有しているものである。
この発明（Ａ４）の乾燥装置は、上記発明Ａ２又はＡ３の乾燥装置において、前記接触案内部は、前記吸引孔の一部が、前記記録媒体の搬送方向と交差する幅方向の両端部よりも外側の位置にも存在するよう設けられているものである。
この発明（Ａ５）の乾燥装置は、上記発明Ａ１の乾燥装置において、前記吸引案内手段は、前記接触案内部が、前記照射部のレーザ光の照射範囲と前記供給部の吹出口との間の位置に配置されているとともに吸引孔を有する部材で構成されているものである。
この発明（Ａ６）の乾燥装置は、上記発明Ａ５の乾燥装置において、前記吸引案内手段は、前記接触案内部を構成する部材の前記記録媒体が接触する側とは反対側の部位に吸気手段を配置しているものである。
この発明（Ａ７）の乾燥装置は、上記発明Ａ６の乾燥装置において、前記接触案内部は、前記吸引孔および吸気手段の一部が、前記記録媒体の搬送方向と交差する幅方向の両端部よりも外側の位置にも存在するよう設けられているものである。
【０００９】
また、この発明（Ｂ１）の液滴吐出装置は、
所定の搬送方向に搬送される記録媒体に液滴を吐出する液滴吐出部と、前記液滴吐出部よりも前記搬送方向の下流側の位置に配置され、前記記録媒体に前記液滴吐出部から吐出されて付着する液滴の水分を蒸発させて乾燥させる乾燥部と、を備え、
前記乾燥部は、上記発明Ａ１から発明Ａ７のいずれかの乾燥装置にて構成されているものである。
【発明の効果】
【００１０】
上記発明Ａ１の乾燥装置によれば、記録媒体にレーザ光を照射して記録媒体に付着する液滴の水分を蒸発させる照射部よりも記録媒体の搬送方向下流側の位置に配置された供給部から空気を供給する際に生じる記録媒体の揺れを抑制することができる。
【００１１】
上記発明Ａ２の乾燥装置によれば、照射部のレーザ光の照射範囲を通過する際における記録媒体の揺れを的確に抑制することができる。
上記発明Ａ３の乾燥装置によれば、レーザ光の不要な照射を抑制することもできる。
上記発明Ａ４の乾燥装置によれば、照射部と記録媒体との間において液滴の水分の蒸発で発生する水蒸気を含む高湿の空気を吸引して、その高湿の空気の拡散とその高湿の空気による結露の発生を抑制することができる。
上記発明Ａ５の乾燥装置によれば、レーザ光の不要な照射を受けるおそれがなく、供給部の吹出口に近い位置で記録媒体の揺れを的確に抑制することができる。
上記発明Ａ６の乾燥装置によれば、吸引案内手段の小型化と設置スペースの省スペース化を図ることができる。
上記発明Ａ７の乾燥装置によれば、照射部と記録媒体との間において液滴の水分の蒸発で発生する水蒸気を含む高湿の空気を吸引して、その高湿の空気の拡散とその高湿の空気による結露の発生を抑制することができる。
【００１２】
また、上記発明Ｂ１の液滴吐出装置によれば、乾燥装置において供給部から空気を供給する際に生じる記録媒体の揺れを抑制することができ、その記録媒体の揺れに起因した乾燥むらが発生することを抑制することができる。
【図面の簡単な説明】
【００１３】
【図１】実施の形態１に係る液滴吐出装置の構成を示す概念図である。
【図２】実施の形態１に係る乾燥装置の構成を一部断面で示す概念図である。
【図３】図２の乾燥装置の構成を横方向から見た状態で示す概念図である。
【図４】図３の乾燥装置におけるＱ１−Ｑ１線に沿う概略端面図である。
【図５】図２の乾燥装置の接触案内部を横方向から見た状態で示す概念図である。
【図６】図２の乾燥装置の動作状態を示す概念図である。
【図７】図３の乾燥装置の動作状態をＱ１−Ｑ１線に沿う切断端面で示す概念図である。
【図８】図２の乾燥装置の変形例を横方向から見た状態で示す概念図である。
【図９】図８の乾燥装置の接触案内部を横方向から見た状態で示す概念図である。
【図１０】図８の乾燥装置の動作状態をＱ１−Ｑ１線に沿う切断端面で示す概念図である。
【図１１】実施の形態２に係る乾燥装置の構成を一部断面で示す概念図である。
【図１２】図１１の乾燥装置の構成を横方向から見た状態で示す概念図である。
【図１３】図１１の乾燥装置の接触案内部および照射部を横方向から見た状態で示す概念図である。
【図１４】図１２の乾燥装置の動作状態をＱ１−Ｑ１線に沿う切断端面で示す概念図である。
【図１５】図１１の乾燥装置の動作状態を示す概念図である。
【図１６】図１２の乾燥装置の動作状態をＱ１−Ｑ１線に沿う切断端面で示す概念図である。
【図１７】図１１の乾燥装置の変形例を横方向から見た状態で示す概念図である。
【図１８】図１７の乾燥装置の動作状態をＱ１−Ｑ１線に沿う切断端面で示す概念図である。
【図１９】比較対象の乾燥装置の構成を示す概念図である。
【発明を実施するための形態】
【００１４】
以下、この発明を実施するための形態について図面を参照しながら説明する。
【００１５】
［実施の形態１］
図１から図３は、実施の形態１に係る乾燥装置を備えた液滴吐出装置を示すものである。図１はその液滴吐出装置の全体の構成を示し、図２と図３はその乾燥装置の構成をそれぞれ示している。
各図面中に符号Ｘ，Ｙ，Ｚで示す矢印は、各図面において想定した３次元空間の幅、高さ及び奥行の各方向を示す。また図１、図２等においてＸ，Ｙの方向の交点における丸印は、Ｚの方向が図面の垂直下方に向いていることを示している。
【００１６】
＜液滴吐出装置の構成＞
実施の形態１に係る液滴吐出装置１は、記録媒体の一例である連続紙９に液滴の一例であるインク滴を吐出することにより文字、図形、模様、写真等の画像を形成するインクジェット記録装置として構成されている。
【００１７】
このインクジェット記録装置である液滴吐出装置１は、図１に示されるように、連続紙９にインク滴を吐出して画像の形成を行う画像形成部１０と、画像形成部１０に連続紙９を送り出す送出部２０と、画像形成部１０で画像が形成された後の連続紙９を巻き取る巻取部２５とを備えている。
【００１８】
送出部２０は、連続紙９がロール状に巻き付けられた回転可能な送出しロール２２、支持ロール２３等にて構成されている。この送出部２０は、必要な量（長さ）の連続紙９を送出しロール２２から繰り出した後に支持ロール２３を経て画像形成部１０に送り出すようになっている。ちなみに、連続紙９の実際の搬送は、例えば巻取部２５の巻き取り動力を利用して行われる。
【００１９】
巻取部２５は、画像が形成された後の連続紙９を巻き取る巻取りロール２７、支持ロール２８等にて構成されている。この巻取部２５は、その巻取りロール２７が回転駆動することにより画像形成部１０から支持ロール２８を経て送り込まれる連続紙９を巻き取るようになっている。
【００２０】
また、画像形成部１０の内部では、連続紙９が複数の支持ロール１２等により形成される搬送経路に沿って所要の位置を通過しながら所要の速度で搬送されるようになっている。図中における矢印Ａは、連続紙９の搬送方向を示している。
【００２１】
画像形成部１０は、収容室を兼ねる筐体１１と、筐体１１内に配置される液滴吐出部３０、乾燥部４０等にて構成されている。
このうち筐体１１は、保守点検等の作業を行う際に開閉して内部へのアクセスを可能にする図示しない開閉扉等を備えている。
【００２２】
液滴吐出部３０は、搬送される連続紙９にインク滴を画像の情報に応じて吐出する構成に関係する部分である。
この液滴吐出部３０は、イエロー（Ｙ）、マゼンタ（Ｍ）、シアン（Ｃ）およびブラック（Ｋ）という４色のインク滴を個別に吐出する４つのインク記録ヘッド３２Ｙ，３２Ｍ，３２Ｃ，３２Ｋと、各インク記録ヘッド３２（Ｙ，Ｍ，Ｃ，Ｋ）を画像の情報などに基づいて駆動する図示しない駆動装置と、各インク記録ヘッド３２（Ｙ，Ｍ，Ｃ，Ｋ）に各色のインクをそれぞれ補給する図示しないインク補給装置等で構成されている。
【００２３】
インク記録ヘッド３２（Ｙ，Ｍ，Ｃ，Ｋ）は、連続紙９の上方側の位置において連続紙９の搬送方向Ａに沿ってＹ，Ｍ，Ｃ，Ｋの順番で一列に並んだ状態で配置されている。また、インク記録ヘッド３２（Ｙ，Ｍ，Ｃ，Ｋ）はいずれも、インク滴を所要の大きさで吐出する複数のノズルが所要のパターンで配列された構成になっている。インク記録ヘッド３２（Ｙ，Ｍ，Ｃ，Ｋ）は、液滴吐出装置１に入力される画像情報に基づいて図示しない駆動装置により駆動する。
【００２４】
液滴吐出部３０は、筐体１１内でほぼ水平の状態になるよう支持されて搬送される連続紙９の片面に対して、インク記録ヘッド３２（Ｙ，Ｍ，Ｃ，Ｋ）における各ノズルから所定の色のインク滴を画像の情報に応じてそれぞれ吐出する。これにより、連続紙９の片面には、４色の一部の色又はすべての色のインク滴が画像を構成する状態で付着され、インクからなる画像が形成される。
【００２５】
乾燥部４０は、液滴吐出部３０よりも連続紙９の搬送方向Ａ下流側の位置に配置されるものであって、液滴吐出部３０を通過した後の連続紙９にレーザ光を照射することにより連続紙９に液滴吐出部３０で吐出されたインク滴の水分を蒸発させて乾燥させる構成に関係する部分である。
【００２６】
＜乾燥装置の構成＞
この乾燥部４０は、図１から図３に示されるように、照射部５０、供給部６０、吸収部７０および吸引案内手段８０Ａを少なくとも備えた乾燥装置４Ａにて構成されている。
【００２７】
照射部５０は、液滴吐出部３０を通過して搬送方向Ａに搬送される連続紙９にインク滴の水分を蒸発させるためのレーザ光を照射する部分である。
この照射部５０は、レーザ光を照射するレーザ光源５１と、レーザ光源５１を冷却する冷却装置５４等で構成されている。
【００２８】
このうちレーザ光源５１は、乾燥に適した所望のレーザ光を照射できるものであればよく、実施の形態１では例えば垂直共振型面発光レーザ（ＶＣＳＥＬ：Vertical Cavity Surface Emitting Laser）方式のユニットを適用している。
また、レーザ光源５１は、使用される連続紙９の搬送方向Ａと交差する幅方向Ｂの全域にレーザ光を照射するよう構成されている。また、レーザ光源５１は、その連続紙９と向き合う部位（本例では下面部）に、連続紙９の幅方向Ｂにおける幅寸法Ｗ１と同じか又は少し広い幅寸法Ｗ２からなる出光面５２を有しており、その出光面５２には例えばガラス板を配置している。さらに、レーザ光源５１は、その出光面５２が連続紙９と所要の間隔をあけた状態になるよう配置される。
【００２９】
冷却装置５４としては、例えば水冷ジャケット等を適用している。この冷却装置５４については、レーザ光源５１の冷却が不要な場合には省略しても構わない。
レーザ光源５１、冷却装置５４、出光面５２を構成するガラス板などは、保持部材５３により保持されている。保持部材５３は、例えば、レーザ光源５１、冷却装置５４、ガラス板等の側面部を取り囲む状態で保持するようになっている。
【００３０】
供給部６０は、照射部５０よりも連続紙９の搬送方向Ａ下流側の位置から照射部５０と連続紙９の間にむけて空気を供給する部分である。
この供給部６０は、照射部５０よりも連続紙９の搬送方向Ａ下流側の位置に配置される供給ダクト６１と、供給ダクト６１に必要な空気を発生させて送る送風装置６６と、供給ダクト６１と送風装置６６の間を接続して送風装置６６で発生させた空気を供給ダクト６１まで送る接続管６７等で構成されている。
【００３１】
供給ダクト６１は、中空の構造物であり、連続紙９と接近させた状態で配置されている。また、供給ダクト６１は、連続紙９に接近する側の端部に空気を吹き出す吹出口６２が設けられている。さらに、供給ダクト６１は、連続紙９とは反対側の端部のほぼ中央部において接続管６７と接続されている。
送風装置６６は、例えば筐体１１の一部に配置されており、外気を取り込んで必要な空気を発生させて供給ダクト６１に向けて送るようになっている。
【００３２】
吸収部７０は、照射部５０よりも連続紙９の搬送方向Ａ上流側の位置で連続紙９に沿ってその搬送方向Ａの上流側へ流れる空気の少なくとも一部を吸収する部分である。
この吸収部７０は、照射部５０よりも連続紙９の搬送方向Ａ上流側の位置に配置される吸収ダクト７１と、吸収ダクト７１に必要な吸引力を発生させるよう吸気する吸気装置７６と、吸収ダクト７１と吸気装置７６の間を接続して吸気装置７６で発生させた吸引力を吸引ダクト７１まで及ぼす接続管７７等で構成されている。
【００３３】
吸収ダクト７１は、中空の構造物であり、連続紙９と接近させた状態で配置されている。また、吸収ダクト７１は、連続紙９に接近する側の端部に空気を吸い込む吸込口７２が設けられている。さらに、吸収ダクト７１は、連続紙９とは反対側の端部のほぼ中央部において接続管７７と接続されている。
吸気装置７６は、画像形成部１０の筐体１１の一部に配置されており、吸い込んだ空気を筐体１１の外部に排気させるようになっている。
吸収部７０は、必要に応じて、図２に二点鎖線で示すように接続管７７等の所要の位置に、吸い込む空気中に含まれる不要物を捕獲するためのフィルタ部７８や、吸い込んだ空気中に含まれる水分を吸収する吸湿部７９を設けてもよい。このようなフィルタ部７８や吸湿部７９を設ける場合は、例えば吸収部７０の吸収ダクト７１で吸収した空気を供給部６０の送風装置６６等に送って再利用するようにしてもよい。
【００３４】
吸引案内手段８０Ａは、連続紙９を挟んで照射部５０とは反対側の位置において、連続紙９を吸引により接触させて通過させるよう案内する手段である。
実施の形態１における吸引案内手段８０Ａは、接触案内部８１Ａ、接触案内部８１Ａに必要な吸引力を発生させるよう吸気する吸気装置８３と、接触案内部８１Ａと吸気装置８３との間を接続して吸気装置８３で発生させた吸引力を接触案内部８１Ａまで及ぼす接続配管８４等で構成されている。
【００３５】
接触案内部８１Ａは、吸引される連続紙９が接触して通過するよう案内される接触案内面８１ｓを有する部分である。
この接触案内部８１Ａは、図２等に示されるように、連続紙９を挟んで照射部５０とは反対側の位置であって、しかも照射部５０から照射されるレーザ光の照射範囲Ｓから供給部６０の吹出口６２までの領域Ｒの少なくとも一部領域に相当する位置において、吸引した連続紙９を平面状の接触案内面８１ｓに接触させて案内するよう構成されている。
【００３６】
ここで、レーザ光の照射範囲Ｓは、照射部５０のレーザ光源５１から発したレーザ光が出光面５２を通過した後に出光面５２から所定の間隔をあけて通過する連続紙９の片面に対して実際に照射されるときの範囲である。この照射範囲Ｓは、より具体的には、例えば出光面５２の連続紙９の搬送方向Ａにおける先端部５２ｃおよび後端部５２ｄよりも少し上流側および下流側にそれぞれずれた位置まで含む範囲になる。供給部６０の吹出口６２は、吹出口６２のうち連続紙９の搬送方向Ａにおいて最も上流側に存在する開口縁の位置Ｐ２である。
また、領域Ｒは、照射範囲Ｓのうち連続紙９の搬送方向Ａ上流側における照射上流端Ｐ１から供給部６０の吹出口６２の位置Ｐ３までに至る領域になる。
【００３７】
また、接触案内部８１Ａは、その接触案内面８１ｓが、図２、図３等に示されるように、連続紙９の搬送方向Ａに対しては照射部５０のレーザ光の照射範囲Ｓに相当する位置に配置され、照射部５０の幅方向Ｂに対しては連続紙９の幅方向Ｂにおける両端部９ａ，９ｂ（換言すれば照射部５０の幅方向Ｂにおける両端部５０ａ，５０ｂ）よりも外側に少し突出する位置にまで存在する状態で配置されている。接触案内面８１ｓとしては、例えば、図３や図５に示されるように、レーザ光の照射範囲Ｓに相当する長さと連続紙９の幅Ｗ１よりも少し広い幅寸法Ｗ３とからなる矩形の平面を適用している。
接触案内部８１Ａは、図４等に示されるように、その接触案内面８１ｓが照射部５０の出光面５２と所定の距離Ｌをあけた状態に保たれるよう配置されている。
【００３８】
さらに、接触案内部８１Ａは、図２、図４、図５等に示されるように、吸引孔８２を有する平板状等の部材で構成されている。
吸引孔８２は、連続紙９に吸引力を及ぼすための開口である。実施の形態１における吸引孔８２は、連続紙９の搬送方向Ａおよび幅方向Ｂにほぼ均等に点在するよう配置された複数の吸引孔８２を適用している。また、吸引孔８２は、図４に示されるように、接触案内部８１Ａのうち連続紙９の幅方向Ｂに沿う領域８１ａにおいて連続紙９の両端部９ａ，９ｂにほぼ相当する位置まで存在するよう配置されている。
【００３９】
また、接触案内部８１Ａを構成する部材は、照射部５０から照射されるレーザ光のうち少なくとも連続紙９を通過するレーザ光を吸収する物性を有する部材が適用されている。この部材としては、例えば、アルミニウム、ニッケルメッキ等の材料からなる部分を少なくとも有する部材が使用される。
【００４０】
吸気装置８３は、画像形成部１０の筐体１１の一部に配置されており、接触案内部８１Ａ側に所要の吸引力を発生するよう吸気する吸気ファン等の装置である。また、吸気装置８３は、その吸気した空気を最終的に筐体１１の外部に排気するようになっている。所要の吸引力は、例えば、連続紙９を接触案内部８１Ａの接触案内面８１ｓに吸引して接触させることができる一方で、連続紙９が接触案内面８１ｓに接触しながら搬送方向Ａに搬送されることを妨げないようにできる程度の吸引力であればよい。
【００４１】
接続配管８４は、図２、図４等に示されるように、その一端部８４ａが接触案内部８１Ａの接触案内面８１ｓとは反対側の部位と接続され、その他端部８４ｂが吸気装置８３又は吸気装置８３を通過して筐体１１の一部（排気口）に接続される。ちなみに、図２に示す接続配管８４は、接触案内部８１Ａから照射部５０とは反対側に離れる方向に延びた後に、便宜上、連続紙９の搬送方向Ａの方向に延びるよう配置された構成を示しているが、この構成に何ら限定されない。
【００４２】
画像形成部１０では、接触案内部８１Ａ（の吸気装置８３）が作動せず吸引していないときには、図５に二点鎖線で例示するように、連続紙９が接触案内部８１Ａの接触案内面８１ｓと非接触の状態に保たれているとともに、連続紙９がその搬送方向Ａの下流側になるにつれて接触案内面８１ｓとの離間距離が次第に大きくなる状態で搬送されるように保たれている。
【００４３】
＜液滴吐出装置および乾燥装置の動作＞
液滴吐出装置１では、図示しない制御部において画像形成動作の要求の指示を受けると、画像形成部１０、送出部２０および巻取部２５が始動する。
これにより、連続紙９は、送出部２０から送り出されて画像形成部１０に送り込まれるよう搬送されるとともに、画像形成部１０を通過した後に巻取部２５に巻き取られるよう搬送される。
【００４４】
この際、画像形成部１０においては、液滴吐出部３０が、搬送されて通過する連続紙９の片面に対して必要なインク記録ヘッド３２（Ｙ，Ｍ，Ｃ，Ｋ）から所定の色のインク滴を画像の情報に応じてそれぞれ吐出する。
これにより、連続紙９の片面には、吐出された色と混色した色のインク滴３５（図６）が画像を構成する状態で付着され、インクからなる画像が形成される。
【００４５】
続いて、画像形成部１０においては、連続紙９が乾燥部４０を通過するように搬送される。
この際、乾燥部４０の乾燥装置４Ａでは、吸引案内手段８０Ａ（の吸気装置８３）の作動により接触案内部８１Ａの接触案内面８１ｓに吸引孔８２を通して吸気による吸引力が発生するので、図６や図７に示されるように、連続紙９が接触案内面８１ｓに吸引により接触して搬送される。
これにより、連続紙９は、接触案内部８１Ａにおいて平面状の接触案内面８１ｓに接触しながら搬送されるので、照射部５０の出光面５２とほぼ一定の間隔を保った状態で移動する。
【００４６】
またこの際、乾燥装置４Ａでは、液滴吐出部３０で吐出されたインク滴３５が付着した状態で接触案内部８１Ａに案内されながら搬送される連続紙９に対して、照射部５０のレーザ光源５１からレーザ光を照射する。
しかも、乾燥装置４Ａでは、図６に示されるように、供給部６０における供給ダクト６１がその吹出口６２から照射部５０と連続紙９の間にむけて空気（破線の矢印）を供給し、また、吸収部７０における吸収ダクト７１がその吸込口７２から連続紙９に沿って搬送方向Ａの上流側へ流れる空気の少なくとも一部（破線の矢印）を吸収する。
【００４７】
これにより、連続紙９に付着するインク滴３５は、そのインクに含まれる水分が照射部５０からのレーザ光の照射により沸騰する温度まで瞬時に上昇させられることにより蒸発させられる。
この結果、連続紙９においては、インク滴３５の付着に起因した水分が浸透することによる滲みが低減され、図６に示されるように水分が蒸発させられたインク（色材）３５Ａからなる画像が形成される。
【００４８】
また、乾燥装置４Ａでは、供給部６０による空気の供給と吸収部７０による空気の吸収とが照射部５０を挟んで連続紙９の搬送方向Ａの前後で行われる。これにより、レーザ光の照射が行われている照射部５０と連続紙９との間に存在する隙間には、連続紙９の搬送方向Ａの上流側にむけて流れる空気流（図６を参照）が形成される。
この結果、インク滴３５の水分がレーザ光の照射により蒸発して連続紙９上に浮き上がる水蒸気は、搬送方向Ａ上流側に流れる上記空気流によって連続紙９から剥ぎ取られるようにして運ばれるとともに、その空気流の空気と共に吸収部７０の吸収ダクト７１により吸収される。このとき吸収部７０により吸収された水蒸気を含む空気は、最終的に筐体１１の外部に排気される。
【００４９】
したがって、この乾燥装置４Ａにおいては、インク滴３５の水分が蒸発して発生する水蒸気が照射部５０と連続紙９の間の隙間に滞留することが抑制される。このことによって乾燥装置４Ａを通過した後の連続紙９は乾燥された状態になる。また、この乾燥装置４Ａでは、水蒸気が連続紙９に再付着することや、水蒸気が照射部５０の出光面５２や保持部材５３に付着して結露を発生することが抑制又は防止される。
【００５０】
また、この乾燥装置４Ａにあっては、連続紙９が、照射部５０の搬送方向Ａ下流側で供給部６０における供給ダクト６１の吹出口６２から供給される空気が吹き付けられることにより波打つように揺らされることがある。
しかし、この乾燥装置４Ａでは、図６や図７に示されるように、連続紙９が吸引案内手段８０Ａの接触案内部８１Ａ（の接触案内面８１ｓ）に吸引されて接触した状態で搬送される。これにより、連続紙９は、供給部６０における空気の吹き付けにより揺らされることがあっても、その揺れが吸引案内手段８０Ａの接触案内部８１Ａとの接触によりほぼ消失して抑制される。
【００５１】
この結果、連続紙９は、照射部５０のレーザ光の照射範囲Ｓを通過する際に、その照射範囲Ｓに対応した位置に配置された接触案内部８１Ａ（の平面状の接触案内面８１ｓ）に接触して移動するので、照射部５０の出光面５２とほぼ一定の間隔を保った状態で移動しながらレーザ光の照射をほぼ同様の状態（照射の強度等）で受けるようになる。このことによって、連続紙９は、乾燥装置４Ａにおいて乾燥むらがなく良好に乾燥される。
【００５２】
ちなみに、この乾燥装置４Ａに対して、図１９に例示するように、乾燥装置４Ａにおける吸引案内手段８０Ａを備えない乾燥装置４００の場合には、供給部６０の吹出口６２から供給される空気が吹き付けられることにより、連続紙９が二点鎖線の曲線で描かれるよう波打つように揺れることがある。図１９中の符号５５は、後記の実施の形態２で説明する遮光部と同様のものである。
この連続紙９の揺れは、連続紙９の乾燥を促進する等の目的で供給部６０の吹出口６２から供給する空気の速度（量）を増加させるにつれて、顕著に発生する。また、照射部５０を通過する際に連続紙９が揺れていると、連続紙９の照射部５０の出光面５２との離間距離がばらついて、その連続紙９に照射されるレーザ光の強度等の状態もばらつくことになり、最終的に乾燥むらを誘発してしまう。
【００５３】
また、この乾燥装置４Ａにあっては、吸引案内手段８０Ａにおける接触案内部８１Ａがレーザ光を吸収する物性を有する部材で構成されているので、照射部５０のレーザ光の照射時にレーザ光の一部が連続紙９を通過しても、その通過したレーザ光が接触案内部８１Ａにより吸収又は遮断されるようになる。
この結果、その通過したレーザ光が画像形成部１０の他の部分に不用意に照射されることを抑制することもできる。
【００５４】
［実施の形態１の変形例］
図８および図９は、実施の形態１に係る乾燥装置４Ａの変形例を示している。
この変形例における乾燥装置４Ａは、吸引案内手段８０Ａに代えて構成の一部が異なる吸引案内手段８０Ｂを適用した以外は実施の形態１に係る乾燥装置４Ａの場合と同じ構成からなるものである。
【００５５】
変形例における吸引案内手段８０Ｂは、その接触案内部として、図８や図９に示されるように、吸引孔８２の一部を連続紙９の両端部９ａ，９ｂよりも外側の位置にも存在するよう設けた接触案内部８１Ｂを適用したものである。
すなわち、この接触案内部８１Ｂは、図９に示されるように、連続紙９の幅寸法Ｗ１に相当する領域８１ａに吸引孔８２が設けられていることに加えて、連続紙９の両端部９ａ，９ｂよりも外側に突出した突出領域８１Ｂｂ，８１Ｂｃにも吸引孔８２が設けられている。このため、接触案内部８１Ｂは、突出領域８１Ｂｂ，８１Ｂｃが加わることで、連続紙９の幅寸法Ｗ１よりも広い幅寸法Ｗ４になっている。
また、この吸引案内手段８０Ｂにおいては、接続配管８４の接触案内部８１Ｂと接続する端部８４ａが、図１０に示されるように接触案内部８１Ｂの突出領域８１Ｂｂ，８１Ｂｃとも接続するように構成されている。
【００５６】
＜乾燥装置の動作＞
変形例の乾燥装置４Ａを備えた液滴吐出装置１は、乾燥装置４Ａを通過する連続紙９に対して以下に説明する作用効果が新たに発生する点で異なる以外は、実施の形態１に係る乾燥装置４Ａ（吸引案内手段８０Ａ）を備えた液滴吐出装置１の場合と同様に動作する。
【００５７】
変形例の乾燥装置４Ａでは、吸引案内手段８０Ｂ（の吸気装置８３）の作動により接触案内部８１Ｂの接触案内面８１ｓに吸引孔８２を通して吸気による吸引力が発生する。これにより、図１０に示されるように、実施の形態１における動作の場合と同様に、連続紙９を接触案内面８１ｓの突出領域８１Ｂｂ，８１Ｂｃを除く内側の領域８１ａに吸引により接触させて搬送することができる。
【００５８】
またこれに加えて、この乾燥装置４Ａでは、図１０に示されるように、接触案内部８１Ｂの接触案内面８１ｓに連続紙９が存在せず吸引孔８２が露出した状態にある突出領域８１Ｂｂ，８１Ｂｃが出現する。これにより、照射部５０のレーザ光の照射によりインク滴３５の水分が蒸発して発生する水蒸気（図中の破線の曲線）を含む高湿の空気のうち連続紙９の両端部９ａ，９ｂ付近にある高湿の空気やその両端部９ａ，９ｂの外側に拡散しようとする高湿の空気を、吸引案内手段８０Ｂにより突出領域８１Ｂｂ，８１Ｂｃにおける吸引孔８２を通して吸引することができる。
【００５９】
この結果、乾燥装置４Ａにおいては、照射部５０のレーザ光の照射によりインク滴３５の水分が蒸発して発生する水蒸気を含む高湿の空気を、供給部６０の空気の供給と吸収部７０の空気の吸収で形成する空気流に乗せて吸収部７０により吸収して除去することに加えて、吸引案内手段８０Ｂによっても吸引して除去することができる。
したがって、この変形例の乾燥装置４Ａによれば、インク滴３５の水分が蒸発して発生する水蒸気が、連続紙９に再付着することや、照射部５０の出光面５２や保持部材５３に付着して結露を発生することがより一層抑制又は防止される。
【００６０】
［実施の形態２］
図１１および図１２は、実施の形態２に係る乾燥装置４Ｃを示している。
実施の形態２に係る乾燥装置４Ｃは、吸引案内手段８０Ａに代えて構成の一部が異なる吸引案内手段８０Ｃを適用した以外は実施の形態１に係る乾燥装置４Ａの場合と同じ構成からなるものである。
【００６１】
乾燥装置４Ｃは、その吸引案内手段８０Ｃが、接触案内部８５Ｃと、接触案内部８５Ｃに必要な吸引力を発生させるよう吸気する吸気装置８３と、吸気装置８３で吸気した空気を排出する排気管８７等で構成されている。
【００６２】
このうち接触案内部８５Ｃは、その接触案内面８５ｓが、図１１、図１２等に示されるように、連続紙９の搬送方向Ａに対しては上記領域Ｒからレーザ光の照射範囲Ｓを除く領域（Ｒ−Ｓ）の一部に相当する位置に配置され、照射部５０の幅方向Ｂに対しては連続紙９の両端部９ａ，９ｂ（換言すれば照射部５０の両端部５０ａ，５０ｂ）よりも外側に少し突出する位置にまで存在する状態で配置されている。接触案内部８５Ｃの搬送方向Ａにおける配置は、照射範囲Ｓのうち連続紙９の搬送方向Ａ下流側における照射下流端Ｐ２から供給部６０の吹出口６２の位置Ｐ３までに至る領域（Ｒ−Ｓ）内の一部になる。
接触案内面８５ｓは、接触案内部８１Ａ，８１Ｂにおける接触案内面８１ｓの場合と同様に、図１３に示されるように、レーザ光の照射範囲Ｓ（図１１）に相当する長さと連続紙９の幅Ｗ１よりも少し広い幅寸法Ｗ３とからなる矩形の平面を適用している。
また、接触案内部８５Ｃは、図１４等に示されるように、その接触案内面８５ｓが照射部５０の出光面５２の高さに対して所定の距離Ｌをあけた状態に保たれるよう配置されている。
【００６３】
また、接触案内部８５Ｃは、図１１から図１４等に示されるように、吸引孔８６を有する平板状等の部材で構成されている。
吸引孔８６は、上記吸引孔８２の場合と同様に、連続紙９に吸引力を及ぼすための開口である。実施の形態２における吸引孔８６は、連続紙９の搬送方向Ａおよび幅方向Ｂにほぼ均等に点在するよう配置された複数の吸引孔８６を適用している。また、吸引孔８６は、図１３に示されるように、接触案内部８５Ｃのうち連続紙９の幅方向Ｂに沿う領域８５ａにおいて連続紙９の両端部９ａ，９ｂにほぼ相当する位置まで存在するよう配置されている。
【００６４】
さらに、接触案内部８５Ｃを構成する部材としては、実施の形態１における接触案内部８１Ａ，８１Ｂの場合と同様に、レーザ光を吸収する物性を有する部材が適用される。
なお、接触案内部８５Ｃを構成する部材としては、照射部５０の出光面５２と対向する位置に配置されないことから、レーザ光を吸収する物性を有しない部材を適用することができる。また、接触案内部８５Ｃを構成する部材は、接触案内部８５Ｃ（の接触案内面８５ｓ）として使用可能であれば、吸気装置８３が備える外装部材を適用することも可能である。
【００６５】
排気管８７は、図１１、図１４等に示されるように、その一端部８７ａが接触案内部８５Ｃの接触案内面８５ｓとは反対側の部位と接続され、その他端部８７ｂが吸気装置８３を通過して筐体１１の一部（排気口）に接続される。
吸気装置８３は、例えば３つの吸気装置を適用し、それらを照射部５０の幅方向Ｂに沿って一列に並べた状態で配置している。また、吸気装置８３は、排気管８７の一端部８７ａ側の内部に配置されているが、この構成に何ら限定されず、例えば接触案内部８５Ｃと排気管８７の一端部８７ａとの間に配置してもよい。
【００６６】
また、この乾燥装置４Ｃにおいては、吸引案内手段８０Ｃの接触案内部８５Ｃをレーザ光の照射範囲Ｓを除く領域（Ｒ−Ｓ）の一部に配置しているため、図１１や図１２に示されるように、連続紙９を挟んで照射部５０とは反対側の位置でかつ少なくともレーザ光の照射範囲Ｓを含む位置に、連続紙９等を通過した不要なレーザ光を遮断又は吸収する遮光部５５を配置している。
この遮光部５５は、例えばアルミニウム、ニッケルメッキ等の材料からなる部分を少なくとも有する部材を所要の大きさおよび形状にした状態で配置することで構成されている。また、遮光部５５は、照射部５０の出光面５２から連続紙９よりも離れた位置で出光面５２とほぼ平行の状態で配置されており、これにより連続紙９とは非接触の状態で配置されている。
【００６７】
＜液滴吐出装置および乾燥装置の動作＞
この乾燥装置４Ｃを備えた液滴吐出装置１（図１）は、実施の形態１に係る画像形成装置１の場合と同様に、連続紙９が画像形成部１０において液滴吐出部３０と乾燥部４０をこの順で通過するように搬送され、特に以下に説明する点で異なる以外はほぼ同様に動作する。
【００６８】
つまり、乾燥部４０の乾燥装置４Ｃでは、吸引案内手段８０Ｃ（の吸気装置８３）の作動により接触案内部８５Ｃの接触案内面８５ｓに吸引孔８６を通して吸気による吸引力が発生する。
これにより、吸引案内手段８０Ｃの停止時には図１１に示すよう接触案内部８５Ａの接触案内面８５ｓと非接触の状態にあった連続紙９が、図１５や図１６に示されるように、接触案内部８５Ｃの接触案内面８５ｓに吸引により接触して搬送される。図１５に二点鎖線で示す連続紙９は、吸引案内手段８０Ｃの停止時における状態になる。
この結果、連続紙９は、接触案内部８５Ｃにおいて平面状の接触案内面８５ｓに接触しながら搬送されるので、接触案内部８５Ｃよりも連続紙９の搬送方向Ａの上流側にある照射部５０の出光面５２とほぼ一定の間隔を保った状態で移動する。
【００６９】
そして、この乾燥装置４Ｃにおいても、連続紙９が、照射部５０の搬送方向Ａ下流側で供給部６０における供給ダクト６１の吹出口６２から供給される空気が吹き付けられることにより波打つように揺らされることがある。
しかし、この乾燥装置４Ｃでは、図１５や図１６に示されるように、連続紙９が、供給部６０の吹出口６２よりも連続紙９の搬送方向Ａの上流側で吸引案内手段８０Ｃの接触案内部８５Ｃ（の接触案内面８５ｓ）に吸引されて接触した状態で搬送される。これにより、連続紙９は、供給部６０における空気の吹き付けにより揺らされることがあっても、その揺れが吸引案内手段８０Ｃにおける接触案内部８５Ｃとの接触によりほぼ消失して抑制される。
【００７０】
この結果、連続紙９は、照射部５０のレーザ光の照射範囲Ｓを通過する際に、照射部５０の出光面５２とほぼ一定の間隔を保った状態で移動しながらレーザ光の照射をほぼ同様の状態（照射の強度等）で受けることができ、このことによって、連続紙９は乾燥装置４Ｃにおいて乾燥むらがなく良好に乾燥される。
【００７１】
また、この乾燥装置４Ｃにおいては、照射部５０のレーザ光の照射時にレーザ光の一部が連続紙９を通過しても、その通過したレーザ光が遮光部５５により吸収又は遮断されるようになる。この結果、その通過したレーザ光が画像形成部１０の他の部分に不用意に照射されることが抑制される。
【００７２】
さらに、この乾燥装置４Ｃにおいては、吸引案内手段８０Ｃの吸気装置８３を接触案内部８５の接近した状態で配置しているので、実施の形態１およびその変形例における吸引案内手段８０Ａ，８０Ｂを備えた乾燥装置４Ａに比べて、吸引案内手段８０Ｃの小型化とその設置するスペースの省スペース化を図ることができる。
【００７３】
［実施の形態２の変形例］
図１７および図１８は、実施の形態２に係る乾燥装置４Ｃの変形例を示している。
この変形例における乾燥装置４Ｃは、吸引案内手段８０Ｃに代えて構成の一部が異なる吸引案内手段８０Ｄを適用した以外は実施の形態２に係る乾燥装置４Ｃの場合と同じ構成からなるものである。
【００７４】
変形例における吸引案内手段８０Ｄは、その接触案内部として、図１７や図１８に示されるように、吸引孔８６と吸気装置８３の一部を連続紙９の両端部９ａ，９ｂよりも外側の位置にも存在するよう設けた接触案内部８５Ｄを適用したものである。
すなわち、この接触案内部８５Ｄは、図１７に示されるように、連続紙９の幅寸法Ｗ１に相当する領域８５ａに吸引孔８６が設けられていることに加えて、連続紙９の両端部９ａ，９ｂよりも外側に突出した突出領域８５Ｄｂ，８５Ｄｃにも吸引孔８６が設けられている。このため、接触案内部８５Ｄは、突出領域８５Ｄｂ，８５Ｄｃが加わることで、連続紙９の幅寸法Ｗ１よりも広い幅寸法Ｗ４になっている。
【００７５】
また、この吸引案内手段８０Ｄにおいては、例えば４つの吸気装置８３を照射部５０の幅方向Ｂに沿って一例に並べて配置しており、その両端に配置される２つの吸気装置８３の一部を連続紙９の両端部９ａ，９ｂよりも外側に位置するように配置している。
【００７６】
＜乾燥装置の動作＞
変形例の乾燥装置４Ｃを備えた液滴吐出装置１は、乾燥装置４Ｃを通過する連続紙９に対して以下に説明する作用効果が新たに発生する点で異なる以外は、実施の形態２に係る乾燥装置４Ｃ（吸引案内手段８０Ｃ）を備えた液滴吐出装置１の場合と同様に動作する。
【００７７】
変形例の乾燥装置４Ｃでは、吸引案内手段８０Ｄ（の吸気装置８３）の作動により接触案内部８５Ｄの接触案内面８５ｓに吸引孔８６を通して吸気による吸引力が発生する。これにより、図１８に示されるように、実施の形態２における動作の場合と同様に、連続紙９を接触案内面８５ｓの突出領域８５Ｄｂ，８５Ｄｃを除く内側の領域８５ａに吸引により接触させて搬送することができる。
【００７８】
またこれに加えて、この乾燥装置４Ｃでは、図１８に示されるように、接触案内部８５Ｄの接触案内面８５ｓに連続紙９が存在せず吸引孔８６が露出した状態にある突出領域８５Ｄｂ，８５Ｄｃが出現する。これにより、照射部５０のレーザ光の照射によりインク滴３５の水分が蒸発して発生する水蒸気（図中の破線の曲線）を含む高湿の空気のうち連続紙９の両端部９ａ，９ｂ付近にある高湿の空気やその両端部９ａ，９ｂの外側に拡散しようとする高湿の空気を、吸引案内手段８０Ｄにより突出領域８５Ｄｂ，８５Ｄｃにおける吸引孔８６を通して吸引することができる。
【００７９】
この結果、変形例の乾燥装置４Ｃにおいては、照射部５０のレーザ光の照射によりインク滴３５の水分が蒸発して発生する水蒸気を含む高湿の空気を、供給部６０の空気の供給と吸収部７０の空気の吸収で形成する空気流に乗せて吸収部７０により吸収して除去することに加えて、吸引案内手段８０Ｄによっても吸引して除去することができる。
したがって、この変形例の乾燥装置４Ｃによれば、インク滴３５の水分が蒸発して発生する水蒸気が、連続紙９に再付着することや、照射部５０の出光面５２や保持部材５３に付着して結露を発生することがより一層抑制又は防止される。
【００８０】
［他の実施の形態］
実施の形態１、２に係る変形例を含む乾燥装置４Ａ，４Ｃでは、吸引案内手段８０として、その接触案内部８１，８５を上記レーザ光の照射範囲Ｓから供給部６０の吹出口６２までの領域Ｒの一部（照射範囲Ｓや照射範囲Ｓを除く領域Ｒ−Ｓ）に相当する位置に配置した構成例を示した。しかし、吸引案内手段８０については、その接触案内部を上記領域Ｒの全域に相当する位置に配置して構成したものや、上記領域Ｒを越えた範囲にも配置して構成するものであってもよい。
【００８１】
実施の形態１、２では、乾燥装置４Ａ，４Ｃとして、垂直の方向に搬送される状態にある連続紙９に対して乾燥を行うよう配置した適用例を示したが、これに限定されず、例えば、乾燥装置４Ａ，４Ｃは水平の方向又は傾いた方向に搬送される状態にある連続紙９に対して乾燥を行うよう配置して用いても構わない。
【００８２】
また、実施の形態１、２では、乾燥装置４（Ａ，Ｃ）を備えた液滴吐出装置１として、インクジェット記録装置を例示したが、乾燥装置４（Ａ，Ｃ）に代表される乾燥装置を備えた液滴吐出装置としては、連続紙９のような媒体に液滴を吐出し、その媒体にレーザ光を照射して液滴の水分を蒸発させて乾燥させる必要がある他の形式の液滴吐出装置であってもよい。
【符号の説明】
【００８３】
１  …インクジェット記録装置（液滴吐出装置の一例）
４（４Ａ，４Ｃ）…乾燥装置
９  …連続紙（記録媒体の一例）
３０…液滴吐出部
３５…インク滴（水滴の一例）
４０…乾燥部
６０…供給部
６２…吹出口
７０…吸収部
８０（８０Ａ〜８０Ｄ）…吸引案内部
８１（８１Ａ，８１Ｂ）…接触案内部
８５（８５Ｃ，８５Ｄ）…接触案内部
８２，８６…吸引孔
Ａ  …搬送方向
Ｂ  …幅方向
Ｓ  …レーザ光の照射範囲
Ｒ  …レーザ光の照射範囲から供給部の吹出口までの領域
【図１】
2019158243.tif 000003
【図２】
2019158243.tif 000004
【図３】
2019158243.tif 000005
【図４】
2019158243.tif 000006
【図５】
2019158243.tif 000007
【図６】
2019158243.tif 000008
【図７】
2019158243.tif 000009
【図８】
2019158243.tif 000010
【図９】
2019158243.tif 000011
【図１０】
2019158243.tif 000012
【図１１】
2019158243.tif 000013
【図１２】
2019158243.tif 000014
【図１３】
2019158243.tif 000015
【図１４】
2019158243.tif 000016
【図１５】
2019158243.tif 000017
【図１６】
2019158243.tif 000018
【図１７】
2019158243.tif 000019
【図１８】
2019158243.tif 000020
【図１９】
2019158243.tif 000021